【事件の表示】
　平成３年特許願第１７８８４８号「電子情報機器」拒絶査定に対する審判事件［平成５年１月８日出願公開、特開平５−２５６５］について、次のとおり審決する。
【結　論】
　本件審判の請求は、成り立たない。
【理　由】
１．手続きの経緯、本願発明
　本願は、平成３年６月２４日の出願であって、その請求項１に係る発明（以下、「本願発明」という。）は、平成１１年１２月１０日付けの手続補正書によって補正された明細書及び図面の記載からみて、特許請求の範囲の請求項１に記載された次のとおりのものと認める。
　「腕に装着するバンドを情報機器本体に備えた電子情報機器において、前記情報機器本体の上面側に設けた表示部と、前記情報機器本体の上面と平行で、かつ、当該情報機器本体の側部に開口するように前記表示部の下部位置に設けられた外部メモリ収納部と、この外部メモリ収納部に設けられた開口部を開閉可能に覆い、板状の外部メモリの着脱時に開閉される蓋と、前記情報機器本体に設けたキー操作部と、このキー操作部の操作により入力されたデータと前記外部メモリ収納部に収納された外部メモリに記憶されているデータとのうちの少なくとも一方を前記表示部に表示させる表示制御部とを備えており、前記外部メモリ収納部の底面は、第１の接点群を備えており、前記板状の外部メモリの下面は、前記第１の接点群と電気的に接続される第２の接点群を備えていることを特徴とする電子情報機器。」
２．引用例記載事項
　これに対して、原査定の拒絶の理由に引用された実願昭６３−１２２９４０号（実開平２−４５４９４号）のマイクロフィルム（以下、「引用例１」という。）には、以下の記載がなされている。
（ａ）「従来、この種の電卓付腕時計は第３図に示すように、腕時計本体４の前面を利用して、その同一面に、電卓のキー部６と、腕時計の表示と電卓の表示を行わせる表示部７を一体に組込んでいた。４ａは腕時計本体４を装着するための時計バンドである。」（明細書１頁１８行〜２頁３行）
　電卓において、メモリを用いて計算結果を保持することが慣用手段であるから、上記（ａ）の電卓付腕時計が、計算結果データを保持するメモリを有することは自明であり、電卓の表示として、入力されたデータの表示と計算結果データの表示をさせることも慣用手段であるから、入力されたデータの表示と計算結果データの表示を表示部７にさせる表示制御手段を有することも自明である。
　したがって、上記（ａ）の記載を参照して、引用例１には、
　腕時計本体４を装着するための時計バンド４ａと、腕時計本体４に組込まれた電卓のキー部６と、腕時計本体４の前面に一体に組込まれた表示部７と、電卓として機能するとき計算結果データを保持するメモリと、電卓として機能するとき入力されたデータの表示と計算結果データの表示を表示部７にさせる表示制御手段とを備えている電卓付腕時計
が記載されていると認められる。
　同じく引用された特開平２−７５９９２号公報（以下、「引用例２」という。）には、以下の記載がなされている。
（ｂ）「下部ケース２の上面にはカード収納凹部３２が設けられている。このカード収納凹部３２は第７図に示すように、ＩＣカード３０を着脱自在に収納するものであり、その内部上辺側には接続端子３２ａが等間隔に配列形成されている。この接続端子３２ａはカード収納凹部３２内にＩＣカード３０が収納された際に、ＩＣカード３０の端子３０ａが接続されるものであり、…上部ケース１内の回路基板１８に電気的に接続されている。したがって、このような電子腕時計によれば、ＩＣカード３０の端子３０ａとカード収納凹部３２内の接続端子３２とを対応させてＩＣカード３０をカード収納凹部３２内に収納すれば、このＩＣカード３０とデジタル表示部５との間でデータの授受ができる。」（４頁右上欄１４行〜同頁左下欄１１行）
　上記（ｂ）の記載を参照して、引用例２には、
　電子腕時計において、ＩＣカード３０を収納するカード収納凹部３２を設け、ＩＣカード３０の下面の接続端子３０ａとカード収納凹部３２の底部の接続端子３２ａとを電気的に接続して、カード収納凹部３２内に収納されたＩＣカード３０に記憶されているデータをデジタル表示部５に表示させること
が記載されていると認められる。
３．本願発明と引用例１記載発明との対比
　本願発明（以下、「前者」という。）と引用例１に記載された発明（以下、「後者」という。）とを対比する。
（ア）後者の「電卓付腕時計」は、前者の「電子情報機器」に包摂され、
（イ）後者の「キー部６」は、前者の「キー操作部」と同義であり、
（ハ）後者は、「メモリ」を備えるのであるから、前者と同様に「メモリ収納部」を備えており、
（ニ）後者の「電卓として機能するとき入力されたデータの表示と計算結果データの表示を表示部７にさせる表示制御手段」は、前者の「このキー操作部の操作により入力されたデータと前記外部メモリ収納部に収納された外部メモリに記憶されているデータとのうちの少なくとも一方を前記表示部に表示させる表示制御部」に相当している。
　よって、両者の一致点、相違点は次のとおりである。
［一致点］
　「腕に装着するバンドを情報機器本体に備えた電子情報機器において、前記情報機器本体の上面側に設けた表示部と、前記情報機器本体に設けられたメモリ収納部と、前記情報機器本体に設けたキー操作部と、このキー操作部の操作により入力されたデータと前記メモリ収納部に収納されたメモリに記憶されているデータとのうちの少なくとも一方を前記表示部に表示させる表示制御部とを備えている電子情報機器」である点。
［相違点］
　前者において、「メモリ」は「板状の外部メモリ」であって、それに伴い、「情報機器本体の上面と平行で、かつ、当該情報機器本体の側部に開口するように表示部の下部位置に設けられた外部メモリ収納部と、この外部メモリ収納部に設けられた開口部を開閉可能に覆い、板状の外部メモリの着脱時に開閉される蓋と」を備え、「外部メモリ収納部の底面は、第１の接点群を備えており、前記板状の外部メモリの下面は、前記第１の接点群と電気的に接続される第２の接点群を備えている」のに対して、後者においては、「メモリ」は電卓として機能するとき計算結果データを保持するものであって、前者のような「外部メモリ収納部」と「蓋」とを備えておらず、「メモリ収納部」と「メモリ」とに前者のような「第１の接点群」と「第２の接点群」とを備えていない点。
４．当審の判断
　引用例２に、腕に装着するバンドを備えた電子情報機器（電子腕時計）において、板状の外部メモリ（ＩＣカード３０）を収納する外部メモリ収納部（カード収納凹部）を設け、板状の外部メモリの下面の接点群（接続端子３０ａ）と外部メモリ収納部の底部の接点群（接続端子３２ａ）とを電気的に接続して、外部メモリ収納部に収納された外部メモリに記憶されているデータを表示部に表示させることが記載されており、電子情報機器において、板状の外部メモリを収納する外部メモリ収納部を設ける際に、情報機器本体の上面と平行で、かつ、当該情報機器本体の側部に開口するように設けることが周知であり（例えば特開昭５９−６２９６２号公報、実願昭５９−３９２６０号（実開昭６０−１５０６９８号）のマイクロフィルム参照。）、また、物品収納部の開口部を開閉可能な蓋で覆うことも慣用手段であるから、上記引用例２記載事項を技術分野を共通にする後者に適用して、情報機器本体の上面と平行で、かつ、当該情報機器本体の側部に開口するように表示部の下部位置に板状の外部メモリを収納する外部メモリ収納部を設け、この外部メモリ収納部の開口部を板状の外部メモリの着脱時に開閉される蓋で開閉可能に覆うようにし、板状の外部メモリの下面の第２の接点群と外部メモリ収納部の底部の第１の接点群とを電気的に接続して、外部メモリ収納部に収納された外部メモリに記憶されているデータを表示部に表示させるようにすることは、当業者が容易になし得たことである。
５．まとめ
　以上のとおりであるので、本願発明は、引用例１、２に記載された発明及び周知技術に基いて、当業者が容易に発明をすることができたものと認められるから、特許法第２９条第２項の規定により特許を受けることができない。